(57)【要約】【課題】簡単に各操作スイッチの操作を無効とするための状態としたり解除したりできる電気機器を提供すること。【解決手段】スイッチ長押しモードを選択するためのチャイルドロックスイッチ２２Ｃの操作から解除タイマが計時を開始しと、この解除タイマのタイムアップ時間経過後に運転入／切スイッチ２２Ａ等を所定時間以上長押した場合に当該操作された運転入／切スイッチ２２Ａ等の操作を有効化するスイッチ長押しモードに移行させるようにマイクロコンピュータ２５が制御するようにしたために、タイムアップ前であれば、長押ししなくとも、通常の長さで運転入／切スイッチ２２Ａ等を操作すればよい。また、この解除タイマのタイムアップ時間経過後は、自動的に簡単に各操作スイッチの操作を無効とするためのスイッチ長押しモードに移行する。【選択図】図６
2008172695.tif 000002
【特許請求の範囲】
【請求項１】
各操作スイッチの操作を無効とするための機能を有する電気機器であって、スイッチ長押しモードを選択するためのロックモードスイッチと、このロックモードスイッチの操作がなされるとその他の操作スイッチが操作されても所定時間以上長押ししないと当該操作された操作スイッチの操作を有効化しないようなスイッチ長押しモードに移行させるように制御する制御装置とを設けたことを特徴とする電気機器。
【請求項２】
各操作スイッチの操作を無効とするための機能を有する電気機器であって、スイッチ長押しモードを選択するためのロックモードスイッチと、このロックモードスイッチの操作がなされると一時的にスイッチ長押しモードを解除し所定時間後にその他の操作スイッチを所定時間以上長押した場合の当該操作された操作スイッチの操作を有効化するスイッチ長押しモードに移行させるように制御する制御装置とを設けたことを特徴とする電気機器。
【請求項３】
各操作スイッチの操作を無効とするための機能を有する電気機器であって、スイッチ長押しモードを選択するためのロックモードスイッチと、このロックモードスイッチの操作から計時するタイマと、このタイマのタイムアップ時間経過後にその他の操作スイッチを所定時間以上長押した場合に当該操作された操作スイッチの操作を有効化するスイッチ長押しモードに移行させるように制御する制御装置とを設けたことを特徴とする電気機器。
【請求項４】
前記ロックモードスイッチが操作されてからスイッチ長押しモードに移行するまでの間に、その旨を表示する表示灯を設けたことを特徴とする請求項２又は請求項３に記載の電気機器。
【請求項５】
前記ロックモードスイッチの操作に基づいてスイッチ長押しモードに移行した場合に、その旨を表示する表示灯を設けたことを特徴とする請求項１乃至請求項４のいずれかに記載の電気機器。
【発明の詳細な説明】
【技術分野】
【０００１】
本発明は、例えば、電気調理器や加湿器等の各操作スイッチの操作を無効とするための機能を有する電気機器に関する。
【背景技術】
【０００２】
この種の電気機器として調理器は、特許文献１などに開示されている（例えば、特許文献１参照）。この特許文献によれば、マグネトロンによって発生させたマイクロ波を加熱室内にセットされている食品に照射して調理する電子レンジであって、マグネトロンを駆動して調理を開始させるスタートスイッチと、チャイルドロック状態を選択し、またチャイルドロック状態を解除するチャイルドロックＯＮ・ＯＦＦ手段と、このチャイルドロックＯＮ・ＯＦＦ手段によってチャイルドロック状態が選択されているときは、上記スタートスイッチがＯＮされてもマグネトロンへの通電を阻止する制御手段とを備えることが記載されている。これにより、子供のいたずらなどによる誤動作を防止している。
【特許文献１】特開平７−６３３４６号公報
【発明の開示】
【発明が解決しようとする課題】
【０００３】
しかし、例えば、大人が運転状態を変更する際に、チャイルドロック状態であるときは、所望のキーやスイッチ操作を有効にするために、一度チャイルドロック状態を解除するためにチャイルドロックＯＮ・ＯＦＦ手段のオフ操作を行ったのち、目的のスイッチ操作し、さらに誤操作予防のために再度チャイルドロック状態とすべく、チャイルドロックＯＮ・ＯＦＦ手段のオン操作をしなければならないという煩わしさがあった。
【０００４】
そこで本発明は、簡単に各操作スイッチの操作を無効とするための状態としたり解除したりできる電気機器を提供することを目的とする。
【課題を解決するための手段】
【０００５】
このため第１の発明は、各操作スイッチの操作を無効とするための機能を有する電気機器であって、スイッチ長押しモードを選択するためのロックモードスイッチと、このロックモードスイッチの操作がなされるとその他の操作スイッチが操作されても所定時間以上長押ししないと当該操作された操作スイッチの操作を有効化しないようなスイッチ長押しモードに移行させるように制御する制御装置とを設けたことを特徴とする。
【０００６】
第２の発明は、各操作スイッチの操作を無効とするための機能を有する電気機器であって、スイッチ長押しモードを選択するためのロックモードスイッチと、このロックモードスイッチの操作がなされると一時的にスイッチ長押しモードを解除し所定時間後にその他の操作スイッチを所定時間以上長押した場合の当該操作された操作スイッチの操作を有効化するスイッチ長押しモードに移行させるように制御する制御装置とを設けたことを特徴とする。
【０００７】
第３の発明は、各操作スイッチの操作を無効とするための機能を有する電気機器であって、スイッチ長押しモードを選択するためのロックモードスイッチと、このロックモードスイッチの操作から計時するタイマと、このタイマのタイムアップ時間経過後にその他の操作スイッチを所定時間以上長押した場合に当該操作された操作スイッチの操作を有効化するスイッチ長押しモードに移行させるように制御する制御装置とを設けたことを特徴とする。
【０００８】
第４の発明は、第２又は第３の電気機器に係る発明において、前記ロックモードスイッチが操作されてからスイッチ長押しモードに移行するまでの間に、その旨を表示する表示灯を設けたことを特徴とする。
【０００９】
第５の発明は、第１乃至第４に係る電気機器に係る発明において、前記ロックモードスイッチの操作に基づいてスイッチ長押しモードに移行した場合に、その旨を表示する表示灯を設けたことを特徴とする。
【発明の効果】
【００１０】
本発明は、簡単に各操作スイッチの操作を無効とするための状態としたり解除したりできる電気機器を提供することができる。
【発明を実施するための最良の形態】
【００１１】
以下、本発明の実施の形態を図面に基づき説明する。図１は電気機器としての加湿器１の斜視図であり、この加湿器１は上面に折り畳み自在に取っ手１Ａが設けられて前面開口せる加湿器本体２と、この前面開口を塞ぐように前記加湿器本体２の前面に取り外し自在に取り付けられた前面パネル３とで筐体を構成している。
【００１２】
図２は加湿器１の主たる構成部分を分解した状態の加湿器１の分解斜視図で、図３は加湿器１の縦断面図である。
【００１３】
前記加湿器本体２内は、下部に水槽収納部２Sが形成され、その上方に仕切板１６によって囲まれた送風室２Ｆが形成され、この送風室２Ｆの右隣にタンク収納室１８が形成されている。前記水槽収納部２Sには上面開口の合成樹脂製の水槽６が配設され、前面パネル３を取り外した状態で、水槽６は加湿器本体２に対して前後にスライド式にて引き出し収納自在である。
【００１４】
また、加湿器本体２内下部において、水槽収納部２Sとタンク収納室１８とが区画壁４１によって左右に区画されている。そして、この区画壁４１に対応して水槽６には後方へ開いた窪み４８があり、水槽６を加湿器本体２に収納したとき区画壁４１が窪み４８に進入して水槽６の左右のブレを抑制する作用をする。水槽６内には左側にフィルタ室６Ｆ、右側にタンク室６Tとなるように区画壁６Ｃで区分形成しており、フィルタ室６Ｆ内にはその中の水に下部が浸る状態に加湿フィルタ７が配設される。
【００１５】
前記水槽６が加湿器本体２の前方からスライドさせて水槽収納部２Sに収納された状態で、加湿器本体２の上面右側部に設けた開閉蓋１７を開いて、タンク収納室１８に上方から給水タンク１９を挿入することにより、給水タンク１９が水槽６のタンク室６Ｔに収納される。この収納によって給水タンク１９はその重量によって底部がタンク室６Ｔ内の凹部６Ａにセットされる。それによって給水タンク１９の底部に設けたバルブが開いて給水タンク１９内の水が水槽６内に供給され、水槽６内の凹部６Ａと、凹部６Ａと連通したフィルタ室６Ｆには所定水位が維持される構成である。
【００１６】
前記給水タンク１９は内部の水が透視可能な合成樹脂製であり、タンク収納室１８に収納された状態で前面パネル３の裏側に近接し、前面パネル３に形成した縦長窓３Ｂを通して給水タンク１９内の水位が視認できる状態である。
【００１７】
前記送風室２Ｆ内には、電動機１１によって回転する送風機８が収納されている。この送風機８は、加湿フィルタ７の空気入口側に十分な空気の静圧を得るために、横長の一つのシロッコファン８Ａで構成している。このシロッコファン８Ａは、送風室２Ｆ内において水槽６に向けて開口１５Ａしたファンケーシング１５で形成した送風機室１５Ｆ内に設けられている。また、このシロッコファン８Ａはその周縁部に左右方向軸１３に平行に延びた多数の羽根１４を備え、更に左右の中央部にボス部を有する支持用円盤１２を設け、この支持用円盤１２のボス部に取り付けられた左右方向軸１３にはファンケーシング１５外において前記電動機１１が取り付けられている。
【００１８】
正面視において、シロッコファン８Ａの左側面と右側面が空気の吸い込み側であり、吸い込んだ空気は各羽根１４間から遠心方向へ送出され、開口１５Ａから下方の水槽６に向けて矢印のように流れる。
【００１９】
前記加湿器１には、空気の吸い込み口４と加湿空気の吹き出し口５が形成されており、両者を連通するように通風路１０が形成されている。この通風路１０は、吸い込み口４からファンケーシング１５内の送風機室１５Ｆへ連通する通路と、送風機室１５Ｆから開口１５Ａを通って水槽６内の加湿フィルタ７の空気入口側に至る通路と、加湿フィルタ７の前面の送風出口側から吹き出し口５へ至る通路（前面パネル３の裏側とファンケーシング１５の前方の仕切板１６との間の通路）とによって一連の通風路１０を形成している。
【００２０】
このように、通風路１０には通気性の加湿フィルタ７とその上方に送風機８が配置された構成となっている。また、前記吸い込み口４はフィルタ９を備えていて加湿器本体２の背面と左側面に渡って形成され、また吹き出し口５は前面パネル３の上部に形成されている。２０は水槽６の後方の閉じられた空間に形成した電装ボックスであり、その中に各種電装品２０Ａが収納されている。
【００２１】
加湿フィルタ７は、水槽６内の水を毛細管作用によって吸い上げる化学繊維製の不織布で構成された平板状布体と波状布体との相互間に送風機８からの送風が通過する多数の通気路が構成された外形が直方体形状のフィルタブロック７Ｂと、このフィルタブロック７Ｂを取り囲んで収納するもので空気通過用の開口を有する外形が直方体形状のフレーム７Ａを備えた構成である。そして、加湿フィルタ７のフィルタブロック７Ｂの平板状布体と波状布体の下部が水槽６内の水中（水面Ｌ１で示す）に没して、毛細管作用によって水槽６内の水を吸い上げ、送風機８によって供給される送風が前記通気路を通過する間に、この吸い上げられた水が気化して湿気を帯びた空気となって加湿フィルタ７の前面側に送出され、通風路１０を上昇して湿気を含む空気として吹き出し口５から加湿器１外に送出され、加湿器１が設置された室内の空気を加湿する。
【００２２】
そして、加湿器本体２の操作パネル２１に配置された複数のスイッチの操作で、プリント基板Ｐに搭載されたマイクロコンピュータ２５が本加湿器１を統括制御しつつ、加湿器１の運転ができる。即ち、図４に示すような運転入／切スイッチ２２Ａの操作で加湿器１の電源のON−OＦＦ（オン−オフ）ができ、運転切換スイッチ２２Ｂの操作で運転モードの選択ができ、チャイルドロックスイッチ２２Ｃの操作で各スイッチの操作を無効とするためのロックモード状態とすることができる。即ち、所定のスイッチ操作を受け付けなくすることで、子供のいたずらから運転状態変化を予防することができる。
【００２３】
また、湿度センサ２３の検知に基づき、室内の現在湿度を液晶表示する現在湿度表示部２４Ａにて表示するようになっている。なお、前述したように、運転切換スイッチ２２Ｂの操作で運転モードの選択ができるが、初期状態では自動運転モードであって、運転切換スイッチ２２Ｂの押圧操作毎に自動運転状態となる自動運転モードから送風機８が中速回転する中運転モード、高速回転する強運転モード、そして自動運転モードと繰り返すこととなり、その各運転モードを表示するために自動運転ランプ２４Ｂ、中運転ランプ２４Ｃ、強運転ランプ２４Ｄが点灯する。
【００２４】
なお、チャイルドロックスイッチ２２Ｃの操作に基づいてロックモード状態となると、チャイルドロックランプ２４Ｅが点灯する構成であり、マイクロコンピュータ２５によるこの点灯などの制御を含めたチャイルドロック機能に係る制御については、以下図６のフローチャートに基づいて詳述する。
【００２５】
先ず、マイクロコンピュータ２５は、前記チャイルドロックスイッチ２２Ｃの押圧操作による「長押しモード」中か否かを判断し、「長押しモード」中でないと判断すると、チャイルドロックランプ２４Ｅを消灯させるように制御する。
【００２６】
そして、「長押しモード」中でない「通常モード」と判断した場合において、運転入／切スイッチ２２Ａ又は運転切換スイッチ２２ＢがＴ時間押され続けているか否かを判断する。この場合、これらのスイッチ２２Ａ、２２Ｂは押すとスイッチ内部の接点がつながり、離すと接点が切断されるスイッチであり、この接点信号をマイクロコンピュータ２５で読み取り、その接点の状態によって、スイッチ操作がされたかどうか判断する。この信号は、通常スタティック（二値）な信号であり、例えばスイッチを押しているときは接点がつながり、マイクロコンピュータ２５の信号入力部に例えば５ボルト程度のハイレベル（Ｈｉ）の信号が入力され、スイッチを離すと例えばロウレベル（Ｌｏ）の０ボルトとなり、マイクロコンピュータ２５はこの信号の状態がＬｏ→Ｈｉ→Ｌｏのパターンになるとスイッチが押されたと判断するものもある。 これらの信号の確定は、ノイズ等の誤信号入力を防ぐために、通常数ｍｓｅｃから数百ｍｓｅｃの信号が同じ状態を保つと、確実にスイッチが押されたと判断している。
【００２７】
従って、「長押しモード」中でないと判断した場合において、運転入／切スイッチ２２Ａ等がＴ時間押され続けているか否かを判断するに際しては、このＴ時間は数ｍｓｅｃから数百ｍｓｅｃである。
【００２８】
そして、マイクロコンピュータ２５が運転入／切スイッチ２２Ａ等がＴ時間押され続けていると判断すると、その操作されたスイッチに応じた制御をすると共に、内部に有する解除タイマ（タイマ時間はＴＡ）を再セットさせる。また、Ｔ時間押され続けていないと判断すると、スイッチが押されていないと判断する。
【００２９】
一方、マイクロコンピュータ２５がチャイルドロックスイッチ２２Ｃの押圧操作による「長押しモード」中か否かを判断し、「長押しモード」中であると判断した場合には、次に「長押しモード」の一時解除中か否かが判断される。即ち、前記解除タイマがチャイルドロックスイッチ２２Ｃが操作されてから時間を計時して、ＴＡ時間を経過していないか否かが判断される。この場合、マイクロコンピュータ２５がＴＡ時間を経過していないと判断した場合には、「長押しモード」一時解除表示のため、チャイルドロックランプ２４Ｅを点滅させるように制御する。また、ＴＡ時間を経過していない場合には、「長押しモード」が一時解除中であって、前述のように、「長押しモード」ではない「通常モード」の制御がなされる。
【００３０】
また、前述したように、「長押しモード」中で「長押しモード」の一時解除中か否かが判断されて、ＴＡ時間を経過して「長押しモード」の一時解除後と判断された場合には「長押しモード」である旨を表示すべく、マイクロコンピュータ２５はチャイルドロックランプ２４Ｅを点灯させる。
【００３１】
次に、「長押しモード」の一時解除後においては、マイクロコンピュータ２５は、運転入／切スイッチ２２Ａ等が押された場合に、ＴＬ時間、例えば数ｓｅｃ〜数十ｓｅｃ（本実施形態では、３秒間）押され続けているか否かを判断する。このＴＬ時間押されていないと判断されると、子供のいたずらなどによる誤動作によるものと判断し、運転入／切スイッチ２２Ａ等が押されていないと判断し、その押圧操作を無効とする。
【００３２】
一方、マイクロコンピュータ２５は運転入／切スイッチ２２Ａ等がＴＬ時間押され続けていると判断すると、いたずらではなく本当に押されたと判断し、「長押しモード」を一時解除し、解除タイマ（タイマ時間ＴＡ時間）をセットさせる。
【００３３】
なお、再度チャイルドロックスイッチ２２Ｃの押圧操作がなされると、「長押しモード」を一時的に解除し、ＴＡ時間経過前は「通常モード」に移行し、運転入／切スイッチ２２Ａ等を普通に少し押しただけ、即ち数ｍｓｅｃ〜数百ｍｓｅｃの信号が同じ状態を保つと、押されたとマイクロコンピュータ２５は判断する。
【００３４】
以上のように、本実施形態によれば、スイッチ長押しモードを選択するためのチャイルドロックスイッチ２２Ｃの操作から解除タイマが計時を開始し、この解除タイマのタイムアップ時間経過後にその他の操作スイッチ、例えば運転入／切スイッチ２２Ａ等を所定時間以上長押した場合に当該操作された運転入／切スイッチ２２Ａ等の操作を有効化するスイッチ長押しモードに移行させるようにマイクロコンピュータ２５が制御するようにしたために、タイムアップ前であれば、長押ししなくとも、一時的にスイッチ長押しモードを解除するので、通常の長さで運転入／切スイッチ２２Ａ等を操作すればよい。また、この解除タイマのタイムアップ時間経過後は、自動的に簡単に各操作スイッチの操作を無効とするためのスイッチ長押しモードに移行することができ、子供のいたずらなどによる誤動作を防止できる。
【００３５】
なお、チャイルドロック機能に係る制御について、以下図７のフローチャートに基づいて他の実施形態について詳述する。先ず、マイクロコンピュータ２５が「長押しモード」中でない「通常モード」と判断した場合において、運転入／切スイッチ２２Ａ又は運転切換スイッチ２２ＢがＴ時間押され続けているか否かを判断する。そして、マイクロコンピュータ２５が運転入／切スイッチ２２Ａ等がＴ時間押され続けていると判断すると、そのスイッチが操作されたものと判断し、その操作されたスイッチに応じた制御をする。また、Ｔ時間押され続けていないと判断すると、そのスイッチが押されていないと判断する。
【００３６】
一方、マイクロコンピュータ２５がチャイルドロックスイッチ２２Ｃの押圧操作による「長押しモード」中か否かを判断し、「長押しモード」中であると判断した場合には、マイクロコンピュータ２５は、運転入／切スイッチ２２Ａ等がＴＬ時間押され続けているか否かを判断する。このＴＬ時間押されていないと判断されると、子供のいたずらなどによる誤動作によるものと判断し、運転入／切スイッチ２２Ａ等が押されていないと判断し、その押圧操作を無効とする。また、マイクロコンピュータ２５は運転入／切スイッチ２２Ａ等がＴＬ時間押され続けていると判断すると、いたずらではなく本当に押されたと判断し、その操作されたスイッチに応じた制御をする。
【００３７】
以上本発明の実施態様について説明したが、上述の説明に基づいて当業者にとって種々の代替例、修正又は変形が可能であり、本発明の主旨を逸脱しない範囲で前述の種々の代替例、修正又は変形を包含するものである。
【図面の簡単な説明】
【００３８】
【図１】加湿器の斜視図である。
【図２】加湿器の主たる構成部分を分解した状態の加湿器の分解斜視図である。
【図３】加湿器の縦断面図である。
【図４】加湿器本体の操作パネルの拡大図である。
【図５】加湿器の制御ブロック図である。
【図６】フローチャートを示す図である。
【図７】他の実施形態についてのフローチャートを示す図である。
【符号の説明】
【００３９】
１            加湿器
２２Ｃ        チャイルドロックスイッチ
２４Ｅ        チャイルドロックランプ
２５          マイクロコンピュータ
【図１】
2008172695.tif 000003
【図２】
2008172695.tif 000004
【図３】
2008172695.tif 000005
【図４】
2008172695.tif 000006
【図５】
2008172695.tif 000007
【図６】
2008172695.tif 000008
【図７】
2008172695.tif 000009